(57)【要約】【課題】小切手や手形等の特定有価証券について効率良く且つ確実に入金処理と現品処理とを行うことが可能な特定有価証券入金機および特定有価証券入金方法を提供する。【解決手段】特定有価証券を機内に取り込む取り込み手段と、前記機内に取り込んだ特定有価証券に記載されたデータを読み取って読み取りデータを生成する読み取り手段と、前記読み取りデータを認識して認識データを生成する認識手段と、前記読み取りデータを生成した特定有価証券を一時的に保留する一時保留手段と、前記認識データの正当性を示す承認指示に基づいて承認して入金処理データを生成する承認手段と、前記読み取りデータと前記認識データと前記入金処理データとを格納する格納手段と、前記一時保留手段に保留した特定有価証券を収納する収納手段とを備える。【選択図】        図１−２
2006146829.tif 000002
【特許請求の範囲】
【請求項１】
特定有価証券の情報を認識して該特定有価証券の入金処理を行い、該特定有価証券を収納する特定有価証券入金機であって、
前記特定有価証券を機内に取り込む取り込み手段と、
前記機内に取り込んだ特定有価証券に記載されたデータを読み取って読み取りデータを生成する読み取り手段と、
前記読み取りデータを認識して認識データを生成する認識手段と、
前記読み取りデータを生成した特定有価証券を一時的に保留する一時保留手段と、
前記認識データの正当性を示す承認指示に基づいて承認して入金処理データを生成する承認手段と、
前記読み取りデータと前記認識データと前記入金処理データとを格納する格納手段と、
前記一時保留手段に保留した特定有価証券を収納する収納手段と
を備えることを特徴とする特定有価証券入金機。
【請求項２】
前記承認手段により承認されない特定有価証券が返却され、または前記承認手段により承認された特定有価証券のうち所定の形式の特定有価証券が外部排出される返却部を備えること
を特徴とする請求項１に記載の特定有価証券入金機。
【請求項３】
前記特定有価証券の所定のまとまりの集計情報を記載した集計書を前記特定有価証券とともに前記一時保留手段に保留し、さらに前記特定有価証券とともに前記収納手段に収納すること
を特徴とする請求項１に記載の特定有価証券入金機。
【請求項４】
前記特定有価証券を、前記取り込み手段にセットした順番で前記収納手段に収納すること
を特徴とする請求項１に記載の特定有価証券入金機。
【請求項５】
前記取り込み手段は、該取り込み手段にセットされた特定有価証券を、上部に位置する特定有価証券から順に自特定有価証券入金機内に取り込み、
前記一時保留手段は、自特定有価証券入金機内に取り込んだ順番で前記特定有価証券を収納して一時保留し、収納した順番と逆の順番で前記特定有価証券を排出し、
前記収納手段は、前記一時保留手段から排出された順番で前記排出された特定有価証券を収納すること
を特徴とする請求項４に記載の特定有価証券入金機。
【請求項６】
前記一時保留手段が、前記特定有価証券をテープ状保持部材により表裏両面から挟んだ状態でローラ状部材に巻き取ることによって一時保留し、前記テープ状保持部材を巻き戻すことによって一時保留した特定有価証券を排出すること
を特徴とする請求項４または請求項５に記載の特定有価証券入金機。
【請求項７】
前記収納手段を複数備え、前記一時保留手段に保留した前記特定有価証券を該複数の収納手段に分類収納すること
を特徴とする請求項１に記載の特定有価証券入金機。
【請求項８】
特定有価証券の情報を認識して該特定有価証券の入金処理を行い、該特定有価証券を収納する特定有価証券入金方法であって、
前記特定有価証券を機内に取り込む取り込み工程と、
前記機内に取り込んだ特定有価証券に記載されたデータを読み取って読み取りデータを生成する読み取り工程と、
前記読み取りデータを格納する読み取りデータ格納工程と、
前記読み取りデータを認識して認識データを生成する認識工程と、
前記認識データを格納する認識データ格納工程と、
前記読み取りデータを生成した特定有価証券を一時的に保留する一時保留工程と、
前記認識データの正当性を示す承認指示に基づいて承認して入金処理データを生成する承認工程と、
前記入金処理データを格納する入金処理データ格納工程と、
前記一時保留手段に保留した特定有価証券を収納する収納工程と
を含むことを特徴とする特定有価証券入金方法。
【発明の詳細な説明】
【技術分野】
【０００１】
本発明は、金融機関等において特定有価証券の入金処理に使用される特定有価証券入金機および特定有価証券入金方法に関し、特に特定有価証券の入金処理と該特定有価証券の収納処理を一括して行うことができる特定有価証券入金機および特定有価証券入金方法に関する。
【背景技術】
【０００２】
従来、銀行等の金融機関では、店内の現金の入出金を管理する現金処理機として出納機が設けられており、窓口担当者は出納機を用いて窓口の入出金機へ現金を回す回出金を行ったり、窓口の入出金機から回収してくる回入金を行ったりしている。また、渉外員は渉外先へ持ち出す出金処理や、渉外先から持ち帰った現金等の入金処理を行っている。
【０００３】
ところで、このような現金処理機では、現金を現金処理機に投入することにより現金の入金処理は行うことができるが、小切手や手形等の有価証券の入金処理は現金処理機により行うことができない。このため、このような有価証券については窓口で受け付けた後に、係員が入金データを取りまとめてキー入力することにより入金処理を行い、有価証券の現品は手作業で分類処理を行うか、集中センター等において仕分け機で仕分けして管理していた。有価証券の仕分けを行う技術としては、たとえば帳票認識処理部内の一時スタッカに収納された帳票を還流させて帳票の仕分けを行うようにした技術が開示されている（たとえば特許文献１参照）。
【０００４】
【特許文献１】特開２００１−６０１９号公報
【発明の開示】
【発明が解決しようとする課題】
【０００５】
しかしながら、従来の係員が入金データを取りまとめてキー入力する方法では、係員の計数ミスにより照合に時間がかかったり、入金処理と仕分け処理が異なる時間、場所で行われるため係員の作業が繁雑になるという問題がある。したがって、小切手や手形等の有価証券についても入金処理を行う際に現品を一緒に処理できることが非常に効率的であり望ましいが、このような処理を実現させる技術は未だ開発されていないのが現状である。
【０００６】
この発明は、上記問題点に鑑みてなされたものであり、小切手や手形等の特定有価証券について効率良く且つ確実に入金処理と現品処理とを行うことが可能な特定有価証券入金機および特定有価証券入金方法を提供することを目的とする。
【課題を解決するための手段】
【０００７】
上述した課題を解決し、目的を達成するために、請求項１の発明にかかる特定有価証券入金機は、特定有価証券の情報を認識して該特定有価証券の入金処理を行い、該特定有価証券を収納する特定有価証券入金機であって、特定有価証券を機内に取り込む取り込み手段と、機内に取り込んだ特定有価証券に記載されたデータを読み取って読み取りデータを生成する読み取り手段と、読み取りデータを認識して認識データを生成する認識手段と、読み取りデータを生成した特定有価証券を一時的に保留する一時保留手段と、認識データの正当性を示す承認指示に基づいて承認して入金処理データを生成する承認手段と、読み取りデータと認識データと入金処理データとを格納する格納手段と、一時保留手段に保留した特定有価証券を収納する収納手段とを備えることを特徴とする。
【０００８】
また、請求項２の発明にかかる特定有価証券入金機は、請求項１の発明において、承認手段により承認されない特定有価証券が返却され、または承認手段により承認された特定有価証券のうち所定の形式の特定有価証券が返却される返却部を備えることを特徴とする。
【０００９】
また、請求項３の発明にかかる特定有価証券入金機は、請求項１の発明において、特定有価証券の所定のまとまりの集計情報を記載した集計書を特定有価証券とともに一時保留手段に保留し、さらに特定有価証券とともに収納手段に収納することを特徴とする。
【００１０】
また、請求項４の発明にかかる特定有価証券入金機は、請求項１の発明において、特定有価証券を、取り込み手段にセットした順番で収納手段に収納することを特徴とする。
【００１１】
また、請求項５の発明にかかる特定有価証券入金機は、請求項４の発明において、取り込み手段は、該取り込み手段にセットされた特定有価証券を、上部に位置する特定有価証券から順に自特定有価証券入金機内に取り込み、一時保留手段は、自特定有価証券入金機内に取り込んだ順番で特定有価証券を収納して一時保留し、収納した順番と逆の順番で特定有価証券を排出し、収納手段は、一時保留手段から排出された順番で排出された特定有価証券を収納することを特徴とする。
【００１２】
また、請求項６の発明にかかる特定有価証券入金機は、請求項４または５の発明において、一時保留手段が、特定有価証券をテープ状保持部材により表裏両面から挟んだ状態でローラ状部材に巻き取ることによって一時保留し、テープ状保持部材を巻き戻すことによって一時保留した特定有価証券を排出することを特徴とする。
【００１３】
また、請求項７の発明にかかる特定有価証券入金機は、請求項１の発明において、収納手段を複数備え、一時保留手段に保留した特定有価証券を該複数の収納手段に分類収納することを特徴とする。
【００１４】
また、請求項８の発明にかかる特定有価証券入金方法は、特定有価証券の情報を認識して該特定有価証券の入金処理を行い、該特定有価証券を収納する特定有価証券入金方法であって、特定有価証券を機内に取り込む取り込み工程と、機内に取り込んだ特定有価証券に記載されたデータを読み取って読み取りデータを生成する読み取り工程と、読み取りデータを格納する読み取りデータ格納工程と、読み取りデータを認識して認識データを生成する認識工程と、認識データを格納する認識データ格納工程と、読み取りデータを生成した特定有価証券を一時的に保留する一時保留工程と、認識データの正当性を示す承認指示に基づいて承認して入金処理データを生成する承認工程と、入金処理データを格納する入金処理データ格納工程と、一時保留手段に保留した特定有価証券を収納する収納工程とを含むことを特徴とする。
【発明の効果】
【００１５】
請求項１の発明によれば、特定有価証券を機内に取り込み、該特定有価証券に記載されたデータを読み取って読み取りデータを生成して格納し、読み取りデータを認識して認識データを生成して格納し、読み取りデータを生成した特定有価証券を一時的に保留し、認識データの正当性を承認して入金処理データを生成したのち該入金処理データを格納し、一時保留手段に保留した特定有価証券を収納するように構成したので、特定有価証券を機内に取り込んで入金処理を行うとともに、入金処理を行った特定有価証券を収納し、管理することが可能である。これにより、従来のような手入力による入金処理が不要であるため、ミスのない確実な入金処理が可能であり、また手作業による特定有価証券の分類処理が不要となり、作業者の行う作業を低減することができる。また、特定有価証券入金機内において入金処理とともに収納処理がなされるため、効率良く特定有価証券の入金処理と現品処理を行うことが可能である。したがって、効率良く且つ確実に入金処理と現品処理とを同時に行うことができるという効果を奏する。なお、本発明において特定有価証券とは手形、小切手等の一般の有価証券を意味するが、現金は除く趣旨である。
【００１６】
また、請求項２の発明によれば、承認手段により承認されない特定有価証券が返却され、または承認手段により承認された特定有価証券のうち所定の形式の特定有価証券が返却される返却部を備えるため、承認されない特定有価証券が収納されることが無く、また所望の特定有価証券を機外に排出することができ、特定有価証券を確実に管理することが可能であるという効果を奏する。
【００１７】
また、請求項３の発明によれば、特定有価証券の所定のまとまりの集計情報を記載した集計書を特定有価証券とともに一時保留手段に保留し、さらに特定有価証券とともに収納手段に収納するように構成したので、集計書を特定有価証券と分離させることなく収納することができ、確実に管理することができるという効果を奏する。
【００１８】
また、請求項４の発明によれば、特定有価証券を、取り込み手段にセットした順番で収納手段に収納するように構成したので、収納された特定有価証券の順番の修正が不要であり、入金処理作業の簡略化ができるという効果を奏する。
【００１９】
また、請求項５の発明によれば、取り込み手段は、該取り込み手段にセットされた特定有価証券を、上部に位置する特定有価証券から順に自特定有価証券入金機内に取り込み、一時保留手段は、自特定有価証券入金機内に取り込んだ順番で特定有価証券を収納して一時保留し、収納した順番と逆の順番で特定有価証券を排出し、収納手段は、一時保留手段から排出された順番で排出された特定有価証券を収納するように構成したので、確実に取り込み手段にセットした順番で特定有価証券を収納手段に収納することができ、収納された特定有価証券の順番の修正が不要であり、入金処理作業の簡略化ができるという効果を奏する。
【００２０】
また、請求項６の発明によれば、一時保留手段を、特定有価証券をテープ状保持部材により表裏両面から挟んだ状態でローラ状部材に巻き取ることによって一時保留し、テープ状保持部材を巻き戻すことによって一時保留した特定有価証券を排出するように構成したので、特定有価証券を、確実に取り込み手段にセットした順番および表裏方向で収納手段に収納することができるという効果を奏する。
【００２１】
また、請求項７の発明によれば、収納手段を複数備え、一時保留手段に保留した特定有価証券を該複数の収納手段に分類収納するように構成したので、手作業による特定有価証券の分類処理が不要となり、作業者の行う作業を低減することができるという効果を奏する。
【００２２】
また、請求項８の発明によれば、特定有価証券を機内に取り込み、該特定有価証券に記載されたデータを読み取って読み取りデータを生成して格納し、読み取りデータを認識して認識データを生成して格納し、読み取りデータを生成した特定有価証券を一時的に保留し、認識データの正当性を承認して入金処理データを生成したのち該入金処理データを格納し、一時保留手段に保留した特定有価証券を収納するように構成したので、特定有価証券を機内に取り込んで入金処理を行うとともに、入金処理を行った特定有価証券を収納し、管理することが可能である。したがって、従来のような手入力による入金処理が不要であるため、ミスのない確実な入金処理が可能であり、また手作業による特定有価証券の分類処理が不要となり、作業者の行う作業を低減することができるという効果を奏する。また、特定有価証券入金機内において入金処理とともに分類処理がなされるため、効率良く特定有価証券の入金処理と分類処理を行うことが可能であるという効果を奏する。
【発明を実施するための最良の形態】
【００２３】
以下に添付図面を参照して、本発明にかかる特定有価証券入金機および特定有価証券入金方法の好適な実施例を説明する。ここで、本発明において特定有価証券（以下、単に有価証券と称する）とは手形、小切手等の一般の有価証券を意味するが、現金は除く趣旨である。なお、本発明は以下の記述に限定されるものではなく、本発明の要旨を逸脱しない範囲において適宜変更可能である。
【実施例】
【００２４】
図１−１は、本実施例にかかる特定有価証券入金機１および該特定有価証券入金機１が接続される現金処理機２００の外観構成例を示す斜視図である。また、図１−２は、本実施例にかかる特定有価証券入金機１の概略構成を説明する図である。図１−１および図１−２に示すようにこの特定有価証券入金機１は、有価証券挿入口１１と繰り出しローラ１２とホッパ１３とを備える取り込み部１０と、搬送路２０と、読み取り・認識部３０と、一時保留部４０と、エンドーサ５０と、複数のスタッカ６０と、収納ローラ６１と、主制御部７０と、格納部８０と、修正部９０と、承認部１００と、収納・排出選択部１１０と、リジェクト・排出部１２０と、排出ローラ１２１と、定形外収納部１３０と、表示部１４０と、操作部１５０と、送受信部１６０と、を備えている。
【００２５】
取り込み部１０には、有価証券挿入口１１から挿入された１枚または複数の有価証券がホッパ１３にセットされ、セットされた有価証券が繰り出しローラ１２により１枚ずつ繰り出されて特定有価証券入金機１内に取り込まれる。特定有価証券入金機１内に取り込まれた有価証券は、該特定有価証券入金機１内を搬送路２０により１枚ずつ搬送される。ここで、この特定有価証券入金機１が処理対象とする有価証券は、たとえば法人小切手のような通常の定型小切手、個人小切手やキャリアエンベロップ入り小切手などの特殊小切手、約束手形や為替手形などのような定型手形、補箋付き手形やキャリアエンベロップ入り手形やキャリアエンベロップ入り補箋付き手形やキャリアエンベロップ入り付箋付き手形などのような特殊手形などが挙げられる。
【００２６】
読み取り・認識部３０は、イメージスキャナなどの光学的文字読み取り手段を有し、入金処理対象となる有価証券の表面に記載された情報のイメージ画像を読み込んで装置内に取り込むための入力部として機能する。たとえば図２に示すように小切手１７０のイメージ画像を光学的に読み込んで読み取りデータとしてイメージ画像データを生成する。そして、読み取り・認識部３０は、読み込んだイメージ画像データを格納部８０に出力する。ここで読み取り・認識部３０は、帳票の表面と裏面の両面に情報が記載されている場合には、両面のイメージ画像を読み込んで格納部８０に出力する。
【００２７】
また、読み取り・認識部３０は、例えばＯＣＲ（Optical Character Reader）などのような文字認識手段を有し、読み込んだ有価証券のイメージ画像データから文字を識別し文書に変換して認識する認識手段として機能する。読み取り・認識部３０は、読み取りデータであるイメージ画像データから文字を識別して文書に変換して認識し、認識データを生成し、該認識データを格納部８０に出力する。また、添票を有するひとまとまりの複数の手形を処理する場合には、該添票は手形と同様に特定有価証券入金機１内に取り込まれ、読み取り・認識部３０において読み取りデータとしてイメージ画像データが生成されるが、認識データの生成は行われない。上述では、説明の便宜上読み取り・認識部３０に文字認識手段を有している場合を説明したが、通常は光学的文字読み取り機能と文字認識機能とをそれぞれ別個の機能部として備えた構成とされる。
【００２８】
一時保留部４０は、読み取り・認識部３０において認識データを生成した有価証券をスタッカ６０収納するまで、またはリジェクト・排出部１２０に返却もしくは排出するまで一時的に保留する保留部である。たとえば、処理対象の有価証券が添票を有するひとまとまりの複数の手形である場合には、添票も他の手形と同様にスタッカ６０収納するまで、またはリジェクト・排出部１２０に返却もしくは排出するまで一時的に保留する。ここで、返却とは、入金処理が正常に行えない場合に、該当する有価証券を機外に戻すことである。また、排出とは、入金処理が正常に行える場合において定形外の特殊形状の有価証券や所望の有価証券を機外に戻すことである。
【００２９】
この一時保留部４０には、読み取り・認識部３０においてイメージ画像データを生成した時点で先に一時保留部４０に有価証券を保留し、その後に認識データの生成を行うことができる。これにより、大量の有価証券を取り込み、認識データの生成に時間を要する場合であっても、イメージ画像データを生成した時点で次の有価証券を取り込んで連続した処理が可能となり、効率的に入金処理を行うことができる。また、一時保留部４０に有価証券を保留しておくことにより、生成した認識データの確認、修正を一括して行うことができる。
【００３０】
ここで、有価証券を一時的に保留する一時保留部４０について説明する。図３に一時保留部４０の一構成例を説明する断面図を示す。ここでは、一時保留部４０をカセット構造とした場合の例を示している。このカセット３０１は箱形に形成され、一側面の上方位置に有価証券Ｐを長手方向として出入り可能とする横長スリット状の有価証券出入口３０２が開口されている。また、この構成例では２本のテープＴＡ、ＴＢ（以下、２本のテープを総称してテープＴと呼ぶ場合がある）を使用し、該テープＴＡとテープＴＢとの間に有価証券Ｐを長手方向に挟んで収納するように構成した場合を示している。テープＴには、たとえば一軸延伸テープが用いられる。また、テープＴの表面は、シリコン等のコーティングが施されて粘着物付着によるジャミングの発生が防止されていることが好ましい。
【００３１】
図３に示すように有価証券出入口３０２の内部直近位置には、テープＴＡ、ＴＢが経由するローラ３０３Ａ、３０３Ｂが上下に対向して設けられている。また、この上側に設けられたローラ３０３Ａの奥側および下側に設けられたローラ３０３Ｂの下方側には、たとえば図４に示すようにテープ用のガイドフランジが設けられたリール状を呈する第１の巻取りローラ３０４Ａおよび第１の巻取りローラ３０４Ｂがそれぞれ第１の巻取り軸３０５Ａ、第１の巻取り軸３０５Ｂにテンション付加用トルクリミッタ３０６Ａ、テンション付加用トルクリミッタ３０６Ｂを介して取付けられている。また、第１の巻取りローラ３０４Ａおよび第１の巻取りローラ３０４Ｂの近傍には、アイドラ３０９Ａ、３０９Ｂが配置されている。
【００３２】
上記第１の巻取りローラ３０４Ａ、３０４Ｂの間の略中央位置には、有価証券幅と同等またはそれ以上の長さの軸長を有する第２の巻取りローラ３０７が第２の巻取り軸３０８に支持されている。図５は、第２の巻取りローラ３０７への有価証券Ｐの収納を説明するための要部斜視図である。この第２の巻取りローラ３０７に巻かれたテープＴＡ、ＴＢは、前記のローラ３０３Ａ、３０３Ｂ、アイドラ３０９Ａ、３０９Ｂを経由して第１の巻取りローラ３０４Ａ、３０４Ｂにそれぞれ導かれる。
【００３３】
なお、図５においてはテープＴＡおよびテープＴＢのテープ幅が有価証券幅の略１／３程度に示されているが、このテープ幅は特に限定されるものではなく、有価証券を確実にテープＴＡおよびテープＴＢにより挟み込んで収納および繰り出しができる幅であれば適宜設定可能である。なお、有価証券に印紙等が貼付されることを考慮した場合には、テープＴＡおよびテープＴＢのテープ幅は、印紙等が貼付される部分をテープＴＡおよびテープＴＢで覆うことができる幅とすることが好ましい。テープＴＡおよびテープＴＢのテープ幅をこのような幅とすることにより、印紙等の剥がれ等を防止して有価証券の収納および繰り出しを行うことができる。
【００３４】
図３および図５に示すように第２の巻取りローラ３０７の外周には、有価証券Ｐの有無を検知するためのセンサＳ1が第２の巻取りローラ３０７の外周面から所定の距離を隔てて配置されている。これにより、１枚の有価証券Ｐが第２の巻取りローラ３０７に巻付いていてもこれを検知することができるようになっている。
【００３５】
そのほかカセット３０１内には、図３に示すようにローラ３０３Ａ、３０３Ｂと第２の巻取りローラ３０７との間にテープＴを挟んで設けられた一対の有価証券検知用センサＳ2、ローラ３０３Ａとアイドラ３０９Ａとの間にテープＴを挟んで設けられたテープＴの両終端検知用センサＳ3が配置されている。
【００３６】
また、カセット３０１の有価証券出入口３０２の外部には、有価証券出入口３０２への有価証券Ｐの繰込みまたは取出しのための搬送装置３１０が配設されている。この搬送装置３１０は、たとえば上下一対のベルトまたはローラ列により構成することができる。
【００３７】
このように構成された一時保留部４０内に有価証券を納入する場合は、図３に示すように図示しない駆動系により第２の巻取り軸３０８を同図において時計方向（矢印方向）に回動させる。これにより第２の巻取りローラ３０７は時計方向（矢印方向）に回動し、テープＴが該第２の巻取りローラ３０７に巻き取られる。このとき第２の巻取り軸３０８の回転速度はテープＴＡ、ＴＢの巻取り速度Ｖ1 が搬送装置３１０の搬送速度Ｖ2 より大きくなるように設定され、有価証券Ｐを引き込むよう作用することにより、帳票のジャムが防止される。
【００３８】
また、第２の巻取りローラ３０７によりテープＴＡ、ＴＢを巻取る際、第１の巻取りローラ３０４Ａ、３０４ＢはテープＴの引張り作用により反時計方向に回転しようとするが、第１の巻取りローラ軸３０５Ａ、３０５Ｂが反時計方向には回転しないのでテープＴＡ、ＴＢにテンションが発生する。そして、このテンションが所定以上になるとトルクリミッタ３０６Ａ、３０６Ｂに所定以上のトルクがかかり、第１の巻取りローラ３０４Ａ、３０４Ｂが反時計方向（矢印方向）に回転するようになる。その結果、テープＴＡ、ＴＢには常にトルクリミッタの設定トルクに応じたテンションが付与されることになる。
【００３９】
このようにして、収納すべき有価証券Ｐの収納が終了すると駆動系が停止される。また、このとき、収納された有価証券Ｐの枚数は有価証券検知用センサＳ2 によってカウントされる。そして、有価証券Ｐの収納指令がある毎に上記作用を繰り返して有価証券Ｐを収納していくが、有価証券Ｐの収納が進んで所定量を収納すると、テープＴの終端がセンサＳ3 により検知され、それ以上の受収を停止する。これによりテープＴの破損等を防止して、確実に帳票を収納することができる。
【００４０】
有価証券Ｐを排出する場合は、図示しない駆動系により図６に示すように第２の巻取り軸３０８が同図において反時計方向（矢印方向）に回動し、第２の巻取りローラ３０７を反時計方向（矢印方向）に回転させてテープＴＡ、ＴＢを巻戻していく。また、このとき、第１の巻取り軸３０５Ａ、３０５ＢにはこのテープＴＡ、ＴＢが巻き戻される速度よりも速い巻き取り速度の動力が駆動系から与えられる。これにより、テープＴＡ、ＴＢの巻戻される速度よりも速い速度で第１の巻取りローラ３０４Ａ、３０４ＢがテープＴＡ、ＴＢを巻取ろうとするので、テープＴＡ、ＴＢはたるむことがなくテープＴＡ、ＴＢにテンションが生じる。そして、そのテンションが所定以上になるとトルクリミッタ３０６Ａ、３０６Ｂに所定以上のトルクがかかり、滑りを生じることになる。その結果、テープＴＡ、ＴＢには常にトルクリミッタ３０６Ａ、３０６Ｂの設定トルクに応じたテンションが付与されることになる。
【００４１】
このようにして、テープＴＡ、ＴＢが第２の巻取りローラ３０７から巻戻されていくのにつれてテープＴＡ、ＴＢ間の有価証券Ｐは有価証券出入口３０２から投出され、搬送装置３１０へ受け渡される。そして、排出されるべき枚数の有価証券Ｐが有価証券検知用センサＳ2 で検知されると駆動系が停止され、有価証券の一時保留部からの排出が終了する。そして、有価証券Ｐの排出指令がある毎に上記動作を繰り返して有価証券Ｐを排出していくが、有価証券Ｐがすべて排出されてしまうと、センサＳ1 が「有価証券未収納状態」を検出して、第２の巻取りローラ３０７に収納されている有価証券が無くなったことを制御装置側へ知らせる。この有価証券の排出時にはテープＴの速度Ｖ1 と搬送装置３１０の搬送速度Ｖ2 の関係はＶ1 ＜Ｖ2 とされ、Ｖ2 の方が所定量だけ大きくされており、帳票のジャムを防止しながら有価証券Ｐを引き抜くように作用する。
【００４２】
上記のようなテープを用いた一時保留部４０を用いることにより、有価証券の収納処理と、収納した有価証券の排出処理とを１つの機構で行うことができ、低コストかを図ることができる。また、有価証券を２本のテープに挟んだ状態で収納し、排出するため、複数の有価証券を１度に排出してしまうことを防止することができる。
【００４３】
図１の説明に戻って、エンドーサ５０は、一時保留部４０の直近の搬送路２０に設けられる。エンドーサ５０は、一時保留部４０から排出される有価証券であって、後述するように認識データが承認されてスタッカ６０に収納される有価証券、または認識データが承認されてリジェクト・排出部１２０に排出される有価証券に管理通番や日付等を印刷する。この管理通番は、後述する承認データである入金処理データと有価証券とを対応付けて付与される管理番号であり、この管理通番を用いることにより、有価証券から該当する入金処理データを特定することができ、また、入金処理データから該当する有価証券を特定することができる。
【００４４】
スタッカ６０は、一時保留部４０に一時的に保留し、認識データが承認され有価証券を収納する収納手段である。有価証券は一時保留部４０から搬送路２０により搬送され、搬送路２０のスタッカ６０側の終端に設けられた収納ローラ６１によりスタッカ６０に投出される。この特定有価証券入金機１においてはスタッカ６０として、スタッカ６０Ａ、スタッカ６０Ｂ、スタッカ６０Ｃの３つのスタッカを備えている。このように複数のスタッカ６０Ａ、６０Ｂ、６０Ｃを備えることにより、スタッカ毎に予め設定された所定の有価証券が仕分け収納される。なお、ここでは、３つのスタッカ６０Ａ、６０Ｂ、６０Ｃを備える場合について説明しているが、スタッカ６０の数はこれに限定されるものではなく、適宜変更可能である。
【００４５】
主制御部７０は、格納部８０に格納された各種プログラムに従って特定有価証券入金機１全体の処理動作を制御する。格納部８０は、読み取りデータである有価証券のイメージ画像データと、有価証券の認識データと、入金処理データと、を格納するデータ格納手段である。また、格納部８０は、装置全体の処理に用いられる各種プログラム等を格納している。この特定有価証券入金機１においては、格納部８０に入金処理データが格納され、有価証券のスタッカ６０への収納、またはリジェクト・排出部１２０への排出が終了することにより、特定有価証券入金機１における有価証券の入金処理が終了する。
【００４６】
修正部９０は、読み取り・認識部３０が認識して格納部８０に格納した有価証券の認識データを確認・修正する修正手段である。認識データの確認・修正を行う場合には、該当する有価証券のイメージ画像データと認識データとを表示部１４０に表示させ、これらを目視で比較することで認識データの正当性の確認を行い、認識の間違いがある場合には操作部１５０を用いて認識データの修正を行う。
【００４７】
また、処理対象の有価証券が添票を含む一取引分の複数の手形である場合には、修正部９０は、添票のデータと、添票を含む一取引分の複数の手形のデータを照合する。たとえば手形枚数と総金額とを照合する。
【００４８】
承認部１００は、認識データの正当性を示す承認指示に基づいて承認して入金処理データを生成する承認手段である。収納・排出選択部１１０は、機内に取り込んだ有価証券を収納手段に収納する収納モードまたは機内に取り込んだ有価証券をリジェクト・排出部１２０に外部排出する排出モードを外部からの情報に基づいて選択する選択手段である。
【００４９】
リジェクト・排出部１２０には、入金処理が正常に行えない場合に該当する有価証券が返却され、また、入金処理が正常に行える場合において定形外の特殊形状の有価証券や所望の有価証券が排出される。有価証券は搬送路２０によりリジェクト・排出部１２０に搬送されるが、搬送路２０のリジェクト・排出部１２０側の終端には排出ローラ１２１が設けられており、該排出ローラ１２１によりリジェクト・排出部１２０に投出される。
【００５０】
定形外収納部１３０には、リジェクト・排出部１２０に排出され、入金処理が正常に終了した定形外の特殊形状の有価証券が収納される。この特定有価証券入金機１においては、リジェクト・排出部１２０に排出された定形外の有価証券を作業者が定形外収納部１３０に投入する構成とされているが、      搬送路２０を定形外収納部１３０に接続して該定形外収納部１３０に収納する有価証券を自動搬送して収納する構成とすることも可能である。
【００５１】
表示部１４０は、特定有価証券入金機１の処理における操作画面や、読み取りデータ、認識データ、承認データなどのデータ類などを表示する。操作部１５０は、特定有価証券入金機１の操作において作業者が各種情報等を入力する入力手段であり、該操作部１５０としてキーボードを備えるが、この他にも表示部１４０に備えられたタッチパネル機能など用いることができる。送受信部１６０は、外部機器との間の指示情報、データ情報などの各種情報の送受信を行う。
【００５２】
また、現金処理機２００は、結束された１００枚単位毎の束紙幣を処理する束紙幣処理部２１０および１枚ずつのバラ紙幣を処理するバラ紙幣処理部２２０で成る紙幣処理機２３０と、５０枚単位に包装された包装硬貨を出金処理する包装硬貨出金機２４０と、バラ硬貨を処理するバラ硬貨処理機２５０とを備えて構成されている。束紙幣処理部２１０には、束紙幣を出金するための束紙幣出金口２１１、束紙幣を機外へ放出さるための機外放出口２１２が設けられている。また、バラ紙幣処理部２２０にはバラ紙幣を入金するための入金口２２１、バラ紙幣を出金するための出金口２２２が設けられ、紙幣処理機２３０の上部には出金口２３２を有する新券出金機２３１が設置されている。
【００５３】
包装硬貨出金機２４０の上部には伝票や通帳等の印字を行うプリンタ２４１が設けられ、包装硬貨を出金する包装硬貨出金口２４２が設けられている。また、バラ硬貨処理機２５０の上部にはバラ硬貨を受入れる硬貨入金口２５１が設けられると共に、オペレータに案内やデータ等を表示する表示部２５２、ＩＤカードを挿入して処理するカードリーダ２５３が設けられている。バラ硬貨処理機２５０の前面には、バラ硬貨を返却するための返却口２５５が設けられている。更に、包装硬貨出金機２４０およびバラ硬貨処理機２５０の上部には、作業者が操作する操作部としてのキーボード２５４が設けられている。
【００５４】
このように構成された現金処理機２００は、現金を計数するとともに、特定有価証券入金機１から有価証券の入金処理データを受け取り、現金と有価証券とを合算した入金処理を行う。
【００５５】
つぎに、以上のように構成された本実施例にかかる特定有価証券入金機１の動作について、小切手、手形の入金処理を行う場合について説明する。まず、定型小切手の入金処理について説明する。図７は特定有価証券入金機１の処理手順を示すフローチャートである。また、図８〜図１０は特定有価証券入金機１で入金処理中の表示部１４０の表示画面を示した図である。
【００５６】
まず、作業者は、特定有価証券入金機１の電源を投入する。電源を投入すると、表示部１４０にはたとえば図８に示すような「メインメニュー」が表示される。作業者は、操作部１５０のキーボードを用いて表示画面の「小切手入金」のボタンを選択する。「小切手入金」のボタンを選択すると、表示部１４０の画面には図９に示すような「モード選択」の画面が表示される。
【００５７】
つぎに、作業者は、入金処理対象である有価証券として複数の定型小切手を有価証券挿入口１１から挿入してホッパ１３にセットする。そして、作業者は、操作部１５０のキーボードを用いて、図９に示す「モード選択」の画面において、入金処理のスタートボタンとなる「連続スキャン（収納）」のボタンを選択する。ここで、「連続スキャン（収納）」とは有価証券を連続的に機内に取り込み、データの読み込み、認識を行い、最後に有価証券をスタッカ６０に収納するモードである。この「連続スキャン（収納）」モードを選択することにより、１枚ずつの入金処理ではなく、複数枚の定型小切手の入金処理を連続して行うことができ、効率的に入金処理を行うことができる。「連続スキャン（収納）」のボタンを選択すると、繰り出しローラ１２が動作してホッパ１３にセットした定型小切手を１枚ずつ特定有価証券入金機１に取り込み始める（ステップＳ１０１）。
【００５８】
特定有価証券入金機１内に取り込まれた定型小切手は、搬送路２０に沿って搬送され、読み取り・認識部３０であるイメージスキャナに搬送される。定型小切手が読み取り・認識部３０に搬送されると、読み取り・認識部３０（イメージスキャナ）は定型小切手の表面に記載された情報のイメージ画像データの読み込みを開始し、読み込んだイメージ画像データを格納部８０に出力する。格納部８０では、読み込んだイメージ画像データを格納する（ステップＳ１０２）。
【００５９】
つぎに、格納部８０に定型小切手のイメージ画像データが格納されると、読み取り・認識部３０は格納部８０に格納されたイメージ画像データからＯＣＲにより文字を識別して認識データを生成し、該認識データを格納部８０に出力する。格納部８０ではこの認識データを格納する（ステップＳ１０３）。そして、認識データの格納が終了した定型小切手は一時保留部４０に搬送され、収納、保留される（ステップＳ１０４）。また、定型小切手を一時保留部４０に収納すると同時に、ホッパ１３にセットされた次の定型小切手の機内への取り込みを行い、全ての定型小切手を機内に取り込んで一時保留部４０に保留するまで上記のステップＳ１０１〜ステップＳ１０４を繰り返す。
【００６０】
ホッパ１３にセットされた定型小切手が全て機内に取り込まれた後に、図９に示す「モード選択」の画面において「ＯＣＲ結果確認」のボタンを選択する。「ＯＣＲ結果確認」のボタンを選択すると、図１０に示すように「ＯＣＲ結果確認」の画面のイメージ画像データ欄１２０−１と認識データ欄１２０−２とに、一時保留部４０に保留している定型小切手のイメージ画像データと認識データとを表示する（ステップＳ１０５）。
【００６１】
作業者は、この画面において認識データの正当性の確認・修正を行う。認識データの確認は、図１０に示すように「ＯＣＲ結果確認」の画面でイメージ画像データ欄１２０−１と認識データ欄１２０−２との表示を比較することで行う。認識データの正当性を確認した結果、認識データの間違いが認められた場合または認識されていない項目がある場合には、修正したい項目を選択して修正データを入力する。修正部９０は、この入力に基づいて認識データの修正を行う（ステップＳ１０６）。その後、認識データの承認指示である「確認完了」のボタンを選択する。承認部１００ではこの承認指示に基づいて、修正された認識データを承認し、該承認された認識データは入金処理データとして生成される（ステップＳ１０７）。
【００６２】
また、イメージ画像データ欄１２０−１と認識データ欄１２０−２との表示を比較して認識データの正当性を確認した結果、認識データの正当性が確認された場合、すなわちＯＣＲによる認識が正常に行われている場合には、認識データの承認指示である「確定完了」のボタンを選択する。承認部１００ではこの承認指示に基づいて、ＯＣＲにより認識された認識データを承認し、該承認された認識データから入金処理データが生成される（ステップＳ１０７）。
【００６３】
つぎに、入金処理データは送受信部１６０により現金処理機２００に送信され（ステップＳ１０８）、該現金処理機２００において現金とともに現金処理機２００における入金処理がなされる。現金処理機２００において入金処理が正常に終了すると、現金処理機２００から入金処理データの格納指示が送信される。特定有価証券入金機１は、現金処理機２００からの格納指示を受信すると、該格納指示に従って入金処理データを格納部８０に格納し（ステップＳ１０９）、さらに一時保留部４０に保留した定型小切手にエンドーサ５０で管理通番、日付等を印字して指定された所定のスタッカ６０に収納する（ステップＳ１１０）。
【００６４】
ここで、定型小切手を収納するスタッカ６０においては、複数のスタッカ６０のそれぞれを個別の小切手収納用に指定することができる。たとえば銀行においてこの特定有価証券入金機１により定型小切手の入金処理を行う場合には、スタッカ６０Ａを交換課行きの小切手収納用スタッカ、スタッカ６０Ｂを集中課行きの小切手収納スタッカ、スタッカ６０Ｃを自店保留の小切手収納用スタッカ、と３種類に分けて指定することができる。ここで、交換課行きの小切手収納用スタッカ（スタッカ６０Ａ）は、通常の小切手を収納するスタッカである。また、集中課行きの小切手収納用スタッカ（スタッカ６０Ｂ）は、先日付小切手を収納するスタッカポケットである。そして、自店保留の小切手収納用スタッカ（スタッカ６０Ｃ）は、上記の交換課行きの小切手収納用スタッカ（スタッカ６０Ａ）および集中課行きの小切手収納用スタッカ（スタッカ６０Ｂ）に収納しない全ての小切手を収納するスタッカである。このように、複数のスタッカ６０のそれぞれを個別の小切手収納用に指定することにより、入金処理した小切手を自動分類して収納することが可能である。これにより、作業者の手作業による小切手の分類処理が不要となり、作業者の行う作業を低減することができる。また、特定有価証券入金機１内において入金処理とともに分類処理がなされるため、効率良く小切手の入金処理と分類処理を行うことが可能である。
【００６５】
また同様に、たとえば銀行においてこの特定有価証券入金機１により手形の入金処理を行う場合には、たとえばスタッカ６０Ａを交換課行きの手形収納用スタッカ、スタッカ６０Ｂを集中課行きの手形収納スタッカ、スタッカ６０Ｃを自店保留の手形収納用スタッカ、と３種類に分けて指定することができる。ここで、交換課行きの手形収納用スタッカ（スタッカ６０Ａ）は、交換期日が迫っているか、または遠隔地の交換所へ送る手形を収納するスタッカである。また、集中課行きの手形収納用スタッカ（スタッカ６０Ｂ）は、交換期日に余裕があり、または遠隔地へ送らない手形を収納するスタッカポケットである。そして、自店保留の手形収納用スタッカ（スタッカ６０Ｃ）は、上記の交換課行きの手形収納用スタッカ（スタッカ６０Ａ）および集中課行きの手形収納用スタッカ（スタッカ６０Ｂ）に収納しない全ての手形を収納するスタッカである。このように、複数のスタッカ６０のそれぞれを個別の手形収納用に指定することにより、手形を自動分類して収納することが可能である。これにより、作業者の手作業による手形の分類処理が不要となり、作業者の行う作業を低減することができる。また、特定有価証券入金機１内において入金処理とともに分類処理がなされるため、効率良く手形の入金処理と分類処理を行うことが可能である。
【００６６】
また、この特定有価証券入金機１においては、取り込み部１０にセットした順番で定型小切手をスタッカ６０に収納することができる。取り込み部１０においてはセットされた定型小切手を、上部に位置する定型小切手から順に特定有価証券入金機１内に取り込み、一時保留部４０では、特定有価証券入金機１に取り込まれた順番で定型小切手を収納して一時保留し、収納した順番と逆の順番で定型小切手を排出する。そして、スタッカ６０では、一時保留部４０から排出された順番で定型小切手を収納する。このような処理形態を取ることにより、特定有価証券入金機１においては、取り込み部１０にセットした順番で定型小切手をスタッカ６０に収納することができる。また、このような処理形態を取ることにより、特定有価証券入金機１においては、取り込み部１０にセットした際の表裏方向で定型小切手をスタッカ６０に収納することができる。取り込み部１０においては、セットされた表裏方向で定型小切手を特定有価証券入金機１内取り込み、一時保留部４０では、特定有価証券入金機１に取り込み時とは逆の表裏方向で定型小切手を収納して一時保留し、収納した表裏方向で定型小切手を排出する。そして、スタッカ６０では、一時保留部４０からの排出時とは逆の表裏方向で定型小切手を収納する。したがって、この特定有価証券入金機１おいてはスタッカ６０に収納された定型小切手の順番および表裏方向が、取り込み部１０にセットした際と同一とされるため、順番の修正や表裏方向の修正といった後処理が不要である。
【００６７】
なお、取り込み部１０において定型小切手を上部から取り込むか下部から取り込むかという取り込み順序や一時保留部４０での収納順序、排出順序などは上記の組み合わせに限定されるものではない。したがって、スタッカ６０に収納された定型小切手の順番および表裏方向が取り込み部１０にセットした際と同一とされる組み合わせであれば適宜変更可能である。以上のような、特定有価証券入金機１の特徴は、定型小切手の入金処理に限定されるものではなく、手形等の他の有価証券を処理する場合も同様である。
【００６８】
以上のように、格納部８０への入金処理データの格納、および一時保留部４０に保留した定型小切手のスタッカ６０への収納が終了することにより、特定有価証券入金機１における定型小切手の入金処理が終了する。
【００６９】
上述したように、特定有価証券入金機１によれば、定型小切手の入金処理を行うとともに、入金処理した定型小切手を自動分類して収納し、管理することが可能である。したがって、ミスのない確実な入金処理が可能であり、作業者の手作業による定型小切手の分類処理が不要となり、作業者の行う作業を低減するとともに効率良く小切手の入金処理と分類収納処理を行うことが可能である。したがって、効率良く且つ確実に入金処理と現品処理とを同時に行うことができる。
【００７０】
つぎに、特定有価証券の一時保留部４０への保留は行わないが、この特定有価証券入金機１において処理可能な定型外の特殊小切手である個人小切手の入金処理について説明する。図１１は特定有価証券入金機１の処理手順を示すフローチャートである。まず、作業者は、特定有価証券入金機１の電源を投入する。電源を投入すると、表示部１４０にはたとえば図８に示すような「メインメニュー」が表示される。作業者は、操作部１５０のキーボードを用いて表示画面の「小切手入金」のボタンを選択する。「小切手入金」のボタンを選択すると、表示部１４０の画面には図９に示すような「モード選択」の画面が表示される。
【００７１】
つぎに、作業者は、入金処理対象である有価証券として個人小切手を１枚、有価証券挿入口１１から挿入してホッパ１３にセットする。そして、作業者は、操作部１５０のキーボードを用いて、図９に示す「モード選択」の画面において、入金処理のスタートボタンとなる「１枚スキャン（外部排出）」のボタンを選択する。ここで、「１枚スキャン（外部排出）」とは有価証券を１枚のみ機内に取り込み、データの読み込み、認識を行い、有価証券をリジェクト・排出部１２０に収納するモードである。この「１枚スキャン（外部排出）」モードを選択することにより、利用頻度の低い特殊小切手である個人小切手についてもイメージ画像データの読み込み、認識を行ってこの特定有価証券入金機１において入金処理を行うことができ、効率的に入金処理を行うことができる。「１枚スキャン（外部排出）」のボタンを選択すると、繰り出しローラ１２が動作してホッパ１３にセットした個人小切手を特定有価証券入金機１内に取り込み始める（ステップＳ２０１）。
【００７２】
特定有価証券入金機１内に取り込まれた個人小切手は、搬送路２０に沿って搬送され、読み取り・認識部３０であるイメージスキャナに搬送される。個人小切手が読み取り・認識部３０に搬送されると、読み取り・認識部３０（イメージスキャナ）は個人小切手の表面に記載された情報のイメージ画像データの読み込みを開始し、読み込んだイメージ画像データを格納部８０に出力する。格納部８０では、読み込んだイメージ画像データを格納する（ステップＳ２０２）。
【００７３】
つぎに、格納部８０に個人小切手のイメージ画像データが格納されると、読み取り・認識部３０は格納部８０に格納されたイメージ画像データからＯＣＲにより文字を識別して認識データを生成し、該認識データを格納部８０に出力する。格納部８０ではこの認識データを格納する（ステップＳ２０３）。そして、認識データの格納が終了した個人小切手はリジェクト・排出部１２０に排出される（ステップＳ２０４）。
【００７４】
つぎに、図９に示す「モード選択」の画面において「ＯＣＲ結果確認」のボタンを選択する。「ＯＣＲ結果確認」のボタンを選択すると、図１０に示すように「ＯＣＲ結果確認」の画面のイメージ画像データ欄１２０−１と認識データ欄１２０−２欄とに、個人小切手のイメージ画像データと認識データとを表示する（ステップＳ２０５）。
【００７５】
作業者は、この画面において認識データの正当性の確認・修正を行う。認識データの確認は、図１０に示すように「ＯＣＲ結果確認」の画面でイメージ画像データ欄１２０−１と認識データ欄１２０−２との表示を比較することで行う。認識データの正当性を確認した結果、認識データの間違いが認められた場合または認識されていない項目がある場合には、修正したい項目を選択して修正データを入力する。修正部９０は、この入力に基づいて認識データの修正を行う（ステップＳ２０６）。その後、認識データの承認指示である「確認完了」のボタンを選択する。承認部１００ではこの承認指示に基づいて、修正された認識データを承認し、該承認された認識データは入金処理データとして生成される（ステップＳ２０７）。
【００７６】
また、イメージ画像データ欄１２０−１と認識データ欄１２０−２との表示を比較して認識データの正当性を確認した結果、認識データの正当性が確認された場合、すなわちＯＣＲによる認識が正常に行われている場合には、認識データの承認指示である「確定完了」のボタンを選択する。承認部１００ではこの承認指示に基づいて、ＯＣＲにより認識された認識データを承認し、該承認された認識データから入金処理データが生成される（ステップＳ２０７）。
【００７７】
つぎに、入金処理データは送受信部１６０により現金処理機２００に送信され（ステップＳ２０８）、該現金処理機２００において現金とともに現金処理機２００における入金処理がなされる。現金処理機２００において入金処理が正常に終了すると、現金処理機２００から入金処理データの格納指示が送信される。特定有価証券入金機１は、現金処理機２００からの格納指示を受信すると、該格納指示に従って入金処理データを格納部８０に格納（ステップＳ２０９）する。
【００７８】
以上のように、リジェクト・排出部１２０への個人小切手の外部排出、および格納部８０への入金処理データの格納が終了することにより、特定有価証券入金機１における個人小切手の入金処理が終了する。また、リジェクト・排出部１２０へ外部排出された個人小切手は定形外収納部１３０へ収納する。これにより、特殊形状の有価証券のみをまとめて管理することができる。なお、手形の性格上、格納部８０へ格納された入金処理データは、小切手の入金処理データのように現金処理機２００に転送して現金処理機での入金処理に用いられるものではない。
【００７９】
つぎに、定型の手形である約束手形の入金処理について説明する。図１２は特定有価証券入金機１の処理手順を示すフローチャートである。まず、作業者は、特定有価証券入金機１の電源を投入する。電源を投入すると、表示部１４０にはたとえば図８に示すような「メインメニュー」が表示される。作業者は、操作部１５０のキーボードを用いて表示画面の「手形回付」のボタンを選択する。「手形回付」のボタンを選択すると、表示部１４０の画面には図９に示すような「モード選択」の画面が表示される。
【００８０】
つぎに、作業者は、入金処理対象である有価証券として添票が作成されて一取引分とされた複数の約束手形を有価証券挿入口１１から挿入してホッパ１３にセットする。このとき、添票を一番上にしてセットする。そして、作業者は、操作部１５０のキーボードを用いて、図９に示す「モード選択」の画面において、入金処理のスタートボタンとなる「連続スキャン（収納）」のボタンを選択する。この「連続スキャン（収納）」モードを選択することにより、添票を含む一取引分の複数枚の約束手形の入金処理を連続して行い、収納することができ、効率的に入金処理を行うことができる。「連続スキャン（収納）」のボタンを選択すると、繰り出しローラ１２が動作してホッパ１３にセットした添票を特定有価証券入金機１内に取り込み始める（ステップＳ３０１）。
【００８１】
特定有価証券入金機１内に取り込まれた添票は、搬送路２０に沿って搬送され、読み取り・認識部３０であるイメージスキャナに搬送される。約束手形が読み取り・認識部３０に搬送されると、読み取り・認識部３０（イメージスキャナ）は添票に記載された情報のイメージ画像データの読み込みを開始し、読み込んだイメージ画像データを格納部８０に出力する。格納部８０では、読み込んだイメージ画像データを格納する（ステップＳ３０２）。
【００８２】
つぎに、格納部８０に添票のイメージ画像データが格納されると、添票は一時保留部４０に搬送され、収納、保留される（ステップＳ３０３）。また、添票を一時保留部４０に収納する動作とともに、ホッパ１３にセットされた約束手形の機内への取り込みを行い（ステップＳ３０４）、読み取り・認識部３０（イメージスキャナ）は約束手形に記載された情報のイメージ画像データの読み込みを開始し、読み込んだイメージ画像データを格納部８０に出力する。格納部８０では、読み込んだイメージ画像データを格納する（ステップＳ３０５）。
【００８３】
つぎに、格納部８０に約束手形のイメージ画像データが格納されると、読み取り・認識部３０は格納部８０に格納されたイメージ画像データからＯＣＲにより文字を識別して認識データを生成し、該認識データを格納部８０に出力する。格納部８０ではこの認識データを格納する（ステップＳ３０６）。そして、認識データの格納が終了した約束手形は一時保留部４０に搬送され、収納、保留される（ステップＳ３０７）。また、約束手形を一時保留部４０に収納すると同時に、ホッパ１３にセットされた次の約束手形の機内への取り込みを行い、全ての約束手形を機内に取り込んで一時保留部４０に保留するまで上記のステップＳ３０４〜ステップＳ３０７を繰り返す。
【００８４】
ホッパ１３にセットされた約束手形が全て機内に取り込まれた後に、図９に示す「モード選択」の画面において「ＯＣＲ結果確認」のボタンを選択する。「ＯＣＲ結果確認」のボタンを選択すると、図１０に示すように「ＯＣＲ結果確認」の画面のイメージ画像データ欄１２０−１と認識データ欄１２０−２欄とに、一時保留部４０に保留している約束手形のイメージ画像データと認識データとを表示する（ステップＳ３０８）。
【００８５】
作業者は、この画面において認識データの正当性の確認・修正を行う。認識データの確認は、図１０に示すように「ＯＣＲ結果確認」の画面でイメージ画像データ欄１２０−１と認識データ欄１２０−２との表示を比較することで行う。認識データの正当性を確認した結果、認識データの間違いが認められた場合または認識されていない項目がある場合には、修正したい項目を選択して修正データを入力する。修正部９０は、この入力に基づいて認識データの修正を行う（ステップＳ３０９）。そして、全ての約束手形の認識データの確認、修正の終了後、添票と約束手形データの総計との照合が行われる（ステップＳ３１０）。照合の結果、一取引分としての認識データの正当性が確認されない場合（ステップＳ３１０否定）は、ステップＳ３０９に戻り認識データの修正を行う。各約束手形の認識データが正しいにもかかわらず照合の結果が正しくない場合は、図９のモード選択画面に戻り、「返却」のボタンを選択することにより、添票を含めた約束手形の全てをリジェクト・排出部１２０に返却して（ステップＳ３１１）処理が終了する。
【００８６】
認識データの修正の後、再度照合を行い、一取引分としての認識データの正当性が確認された場合は（ステップＳ３１０肯定）、認識データの承認指示である「確認完了」のボタンを選択する。承認部１００ではこの承認指示に基づいて、修正された一取引分としての認識データを承認し、該承認された認識データは入金処理データとして生成される（ステップＳ３１２）。
【００８７】
また、最初の照合の結果、一取引分としての認識データの正当性が確認された場合は（ステップＳ３１０肯定）、認識データの承認指示である「確認完了」のボタンを選択する。承認部１００ではこの承認指示に基づいて、一取引分の認識データを承認し、該承認された認識データは入金処理データとして生成される（ステップＳ３１２）。
【００８８】
つぎに図１３の「収納画面」が表示され、「収納」のボタンを選択してＩＤとパスワードを入力することで、入金処理データが格納部８０に格納され（ステップＳ３１３）、さらに一時保留部４０に保留した添票および約束手形にエンドーサ５０で管理通番、日付等が印字されて指定された所定のスタッカ６０に収納される（ステップＳ３１４）。このとき、添票および約束手形は、ホッパ１３にセットされた順番および表裏方向でスタッカ６０に収納される。
【００８９】
以上のように、格納部８０への入金処理データの格納、および一時保留部４０に保留した添票および約束手形のスタッカ６０への収納が終了することにより、特定有価証券入金機１における一取引分の約束手形の入金処理が終了する。なお、図１２および上記の説明においては、説明の便宜上ステップＳ３０１〜ステップＳ３０７をステップ毎に分けて模式的に説明しているが、実際にはステップＳ３０１〜ステップＳ３０７は連続的に処理がなされている。
【００９０】
図１４に、特定有価証券入金機１内における添票および約束手形の順番および表裏方向を説明する概念図を示す。図１４に示すように、取り込み部１０においては添票Ｐ１および約束手形Ｐ２、Ｐ３は表面を上にしてセットされる。添票Ｐ１および約束手形Ｐ２、Ｐ３は、上部に位置する添票Ｐ１から順に機内に取り込まれ、取り込まれた順番で、且つ表裏方向を逆にして一時保留部４０に収納、保留される。そして、取り込まれた順番と逆の順番で一時保留部４０から排出され、一時保留部４０から排出された順番で、且つ表裏方向を逆にしてスタッカ６０に収納される。これにより、添票Ｐ１および約束手形Ｐ２、Ｐ３は、取り込み部１０においてセットされた順番および表裏方向でスタッカ６０に収納される。したがって、この特定有価証券入金機１おいてはスタッカ６０に収納された添票および約束手形は、順番の修正や表裏方向の修正といった後処理が不要である。
【００９１】
上述したように、特定有価証券入金機１によれば、一取引分の約束手形の入金処理を行うとともに、入金処理した約束手形を添票とともに所定のスタッカ６０に自動分類して収納し、管理することが可能である。したがって、ミスのない確実な入金処理が可能であり、作業者の手作業による分類処理が不要となり、作業者の行う作業を低減するとともに効率良く約束手形の入金処理と分類収納処理を行うことが可能である。また、添票を約束手形とともに収納した場合には、該添票がスタッカ６０に収納された他の一取引分の約束手形とのセパレータとなる。
【００９２】
図９おいては「連続スキャン（収納）」モードと「１枚スキャン（外部排出）」モードとが選択できる場合について説明したが、たとえば図１５に示すように「連続スキャン（収納）」モード、「連続スキャン（外部排出）」モード、「１枚スキャン（収納）」モード、「１枚スキャン（外部排出）」モードが選択できるような構成としても良い。ここで、「連続スキャン（収納）」モードと「１枚スキャン（外部排出）」モードは、上記と同じモードである。また、「連続スキャン（外部排出）」モードは、連続的に機内に取り込み、データの読み込み、認識を行い、有価証券をリジェクト・排出部１２０に収納するモードである。「１枚スキャン（収納）」モードは、有価証券を１枚のみ機内に取り込み、データの読み込み、認識を行い、最後に有価証券をスタッカ６０に収納するモードである。
【００９３】
つぎに、特定有価証券自体の一時保留部４０への保留は行わないが、この特定有価証券入金機１において処理可能な定型外の特殊手形である補箋付き手形の入金処理について図１５に示す選択モードを例に説明する。特殊手形である補箋付き手形の入金処理においては、添票と補箋付き手形１枚で一取引分とされる。図１６は特定有価証券入金機１の処理手順を示すフローチャートである。まず、作業者は、特定有価証券入金機１の電源を投入する。電源を投入すると、表示部１４０にはたとえば図８に示すような「メインメニュー」が表示される。作業者は、操作部１５０のキーボードを用いて表示画面の「手形回付」のボタンを選択する。「手形回付」のボタンを選択すると、表示部１４０の画面には図１５に示すような「モード選択」の画面が表示される。
【００９４】
つぎに、作業者は、添票を有価証券挿入口１１から挿入してホッパ１３にセットする。そして、操作部１５０のキーボードを用いて、図１５に示す「モード選択」の画面において、入金処理のスタートボタンとなる「１枚スキャン（収納）」のボタンを選択する。「１枚スキャン（収納）」のボタンを選択すると、繰り出しローラ１２が動作してホッパ１３にセットした添票を特定有価証券入金機１内に取り込み始める（ステップＳ４０１）。
【００９５】
特定有価証券入金機１内に取り込まれた添票は、搬送路２０に沿って搬送され、読み取り・認識部３０であるイメージスキャナに搬送される。約束手形が読み取り・認識部３０に搬送されると、読み取り・認識部３０（イメージスキャナ）は添票に記載された情報のイメージ画像データの読み込みを開始し、読み込んだイメージ画像データを格納部８０に出力する。格納部８０では、読み込んだイメージ画像データを格納する（ステップＳ４０２）。格納部８０に添票のイメージ画像データが格納されると、添票は一時保留部４０に搬送され、収納、保留される（ステップＳ４０３）。
【００９６】
つぎに、作業者は、補箋付き手形１枚を有価証券挿入口１１から挿入してホッパ１３にセットする。そして、操作部１５０のキーボードを用いて、図１５に示す「モード選択」の画面において、入金処理のスタートボタンとなる「１枚スキャン（外部排出）」のボタンを選択する。「１枚スキャン（外部排出）」のボタンを選択すると、繰り出しローラ１２が動作してホッパ１３にセットした補箋付き手形を特定有価証券入金機１内に取り込みを始め（ステップＳ４０４）、読み取り・認識部３０（イメージスキャナ）は補箋付き手形に記載された情報のイメージ画像データの読み込みを開始し、読み込んだイメージ画像データを格納部８０に出力する。格納部８０では、読み込んだイメージ画像データを格納する（ステップＳ４０５）。
【００９７】
つぎに、格納部８０に補箋付き手形のイメージ画像データが格納されると、読み取り・認識部３０は格納部８０に格納されたイメージ画像データからＯＣＲにより文字を識別して認識データを生成し、該認識データを格納部８０に出力する。格納部８０ではこの認識データを格納する（ステップＳ４０６）。そして、認識データの格納が終了した補箋付き手形はリジェクト・排出部１２０に排出される（ステップＳ４０７）。
【００９８】
つぎに、図１５に示す「モード選択」の画面において「ＯＣＲ結果確認」のボタンを選択する。「ＯＣＲ結果確認」のボタンを選択すると、図１０に示すように「ＯＣＲ結果確認」の画面のイメージ画像データ欄１２０−１と認識データ欄１２０−２欄とに、補箋付き手形のイメージ画像データと認識データとを表示する（ステップＳ４０８）。
【００９９】
作業者は、この画面において認識データの正当性の確認・修正を行う。認識データの確認は、図１０に示すように「ＯＣＲ結果確認」の画面でイメージ画像データ欄１２０−１と認識データ欄１２０−２との表示を比較することで行う。認識データの正当性を確認した結果、認識データの間違いが認められた場合または認識されていない項目がある場合には、修正したい項目を選択して修正データを入力する。修正部９０は、この入力に基づいて認識データの修正を行う（ステップＳ４０９）。そして、補箋付き手形の認識データの確認、修正の終了後、添票と補箋付き手形データの総計との照合が行われる（ステップＳ４１０）。照合の結果、認識データの正当性が確認されない場合（ステップＳ４１０否定）は、ステップＳ４０９に戻り認識データの修正を行う。補箋付き手形の認識データが正しいにもかかわらず照合の結果が正しくない場合は、図１５のモード選択画面に戻り、「返却」のボタンを選択することにより、一時保留部４０に保留した添票をリジェクト・排出部１２０に返却して（ステップＳ４１１）処理が終了する。
【０１００】
認識データの修正の後、再度照合を行い、認識データの正当性が確認された場合は（ステップＳ４１０肯定）、認識データの承認指示である「確認完了」のボタンを選択する。承認部１００ではこの承認指示に基づいて、修正された認識データを承認し、該承認された認識データは入金処理データとして生成される（ステップＳ４１２）。
【０１０１】
また、最初の照合の結果、認識データの正当性が確認された場合は（ステップＳ４１０肯定）、認識データの承認指示である「確認完了」のボタンを選択する。承認部１００ではこの承認指示に基づいて、一取引分の認識データを承認し、該承認された認識データは入金処理データとして生成される（ステップＳ４１２）。
【０１０２】
つぎに図１３の「収納画面」が表示され、「収納」のボタンを選択してＩＤとパスワードを入力することで、入金処理データが格納部８０に格納され（ステップＳ４１３）、さらに一時保留部４０に保留した添票にエンドーサ５０で管理通番、日付等が印字されて指定された所定のスタッカ６０に収納される（ステップＳ４１４）。
【０１０３】
以上のように、リジェクト・排出部１２０への補箋付き手形の外部排出、格納部８０への入金処理データの格納、および添票のスタッカ６０への収納が終了することにより、特定有価証券入金機１における一取引分の補箋付き手形の入金処理が終了する。なお、リジェクト・排出部１２０へ外部排出された補箋付き手形は定形外収納部１３０へ収納する。これにより、特殊形状の有価証券のみをまとめて管理することができる。
【０１０４】
また、たとえば一取引分が定型手形と特殊手形の組み合わせから成る場合は、上述した「連続スキャン（収納）」モードと「１枚スキャン（外部排出）」モードとを組み合わせることにより、特定有価証券入金機１において入金処理を行うことが可能である。
【０１０５】
上述したように、本実施例によれば、特定有価証券を特定有価証券入金機１内に取り込み、該特定有価証券に記載されたデータを読み取って読み取りデータを生成して格納し、読み取りデータを認識して認識データを生成して格納し、読み取りデータを生成した特定有価証券を一時的に保留し、認識データの正当性を承認して入金処理データを生成したのち該入金処理データを格納し、一時保留部４０に保留した特定有価証券を収納するので、特定有価証券を特定有価証券入金機１内に取り込んで入金処理を行うとともに、入金処理を行った特定有価証券を収納し、管理することが可能である。これにより、手入力による入金処理が不要であるためミスのない確実な入金処理が可能であり、また手作業による特定有価証券の分類処理が不要となり、作業者の行う作業を低減することができる。また、特定有価証券入金機１内において入金処理とともに特定有価証券の分類処理がなされるため、効率良く特定有価証券の入金処理と分類処理を同時に行うことが可能であるという効果を奏する。
【産業上の利用可能性】
【０１０６】
本発明にかかる特定有価証券入金機および特定有価証券入金方法は、金融機関等における効率的な特定有価証券の入金処理および入金処理をした特定有価証券の収納に有用である。
【図面の簡単な説明】
【０１０７】
【図１−１】本実施例にかかる特定有価証券入金機および該特定有価証券入金機が接続される現金処理機の外観構成例を示す斜視図である。
【図１−２】本実施例にかかる特定有価証券入金機の概略構成を説明する図である。
【図２】小切手のイメージ画像を示す図である。
【図３】一時保留部の一構成例を説明する断面図である。
【図４】第１の巻取りローラの周辺部を示す要部斜視図である。
【図５】第２の巻取りローラへの帳票の収納を説明するための要部斜視図である。
【図６】一時保留部の一構成例を説明する断面図である。
【図７】特定有価証券入金機の処理手順を示すフローチャートである。
【図８】特定有価証券入金機で入金処理中の表示部の表示画面を示した図である。
【図９】特定有価証券入金機で入金処理中の表示部の表示画面を示した図である。
【図１０】特定有価証券入金機で入金処理中の表示部の表示画面を示した図である。
【図１１】特定有価証券入金機の処理手順を示すフローチャートである。
【図１２】特定有価証券入金機の処理手順を示すフローチャートである。
【図１３】特定有価証券入金機で入金処理中の表示部の表示画面を示した図である。
【図１４】特定有価証券入金機内における添票および約束手形の順番および表裏方向を説明する概念図である。
【図１５】特定有価証券入金機で入金処理中の表示部の表示画面を示した図である。
【図１６】特定有価証券入金機の処理手順を示すフローチャートである。
【符号の説明】
【０１０８】
１  特定有価証券入金機
１０  取り込み部
１１  有価証券挿入口
１２  繰り出しローラ
１３  ホッパ
２０  搬送路
３０  読み取り・認識部
４０  一時保留部
５０  エンドーサ
６０  スタッカ
６１  収納ローラ
７０  主制御部
８０  格納部
９０  修正部
１００  承認部
１１０  収納・排出選択部
１２０  リジェクト・排出部
１２１  排出ローラ
１３０  定形外収納部
１４０  表示部
１５０  操作部
１６０  送受信部
【図１−１】
2006146829.tif 000003
【図１−２】
2006146829.tif 000004
【図２】
2006146829.tif 000005
【図３】
2006146829.tif 000006
【図４】
2006146829.tif 000007
【図５】
2006146829.tif 000008
【図６】
2006146829.tif 000009
【図７】
2006146829.tif 000010
【図８】
2006146829.tif 000011
【図９】
2006146829.tif 000012
【図１０】
2006146829.tif 000013
【図１１】
2006146829.tif 000014
【図１２】
2006146829.tif 000015
【図１３】
2006146829.tif 000016
【図１４】
2006146829.tif 000017
【図１５】
2006146829.tif 000018
【図１６】
2006146829.tif 000019